(57)【特許請求の範囲】
【請求項１】
同期信号（ＳＳ）バーストセットのうちどのＳＳブロックがネットワークによって送信されているかの指示を、前記ネットワークから受信することと、
無線デバイスがペアのスペクトルまたはペアでないスペクトルのどちらで動作しているかに基づいて、前記ＳＳバーストセットの少なくとも一部分の間、ランダムアクセスプリアンブルの送信を制限するように決定することであって、
前記ランダムアクセスプリアンブルの送信を制限するか否かの決定が、前記無線デバイスが周波数分割複信（ＦＤＤ）システムで動作しているという判定に応答して前記制限がオフに切り換えられることを考慮することを含み、
前記ランダムアクセスプリアンブルの送信を制限するか否かの決定が、前記無線デバイスが時分割複信（ＴＤＤ）システムで動作しているという判定に応答して前記制限がオンに切り換えられることを考慮することを含む、
ランダムアクセスプリアンブルの送信を制限するように決定することと、
前記ランダムアクセスプリアンブルの送信が制限されていない時間の間、前記ランダムアクセスプリアンブルを送信することと
を含む、無線デバイスで使用される方法。
【請求項２】
送信されるものとして指示される任意のＳＳブロックと時間が少なくとも部分的に重複しているいずれかのスロットにおいて、前記ランダムアクセスプリアンブルの送信を制限することを更に含む、請求項１に記載の方法。
【請求項３】
前記無線デバイスが、前記ＳＳバーストセットが完了した後にのみ、前記ランダムアクセスプリアンブルの送信を許可される、請求項１に記載の方法。
【請求項４】
送信されるものと指示されている最後のＳＳブロックが終了すると直ぐに、前記無線デバイスが、前記ＳＳバーストセットの間、前記ランダムアクセスプリアンブルの送信を許可される、請求項１に記載の方法。
【請求項５】
どのＳＳブロックが送信されているかの前記指示が、無線リソース制御（ＲＲＣ）シグナリングを介して前記ネットワークから受信されるビットマップを含む、請求項１に記載の方法。
【請求項６】
物理ランダムアクセスチャネル（ＰＲＡＣＨ）設定インデックスを受信することと、前記ＰＲＡＣＨ設定インデックスにしたがって、前記ランダムアクセスプリアンブルを送信することとを更に含み、ただし送信されるＳＳブロックを受信するときは送信を回避する、請求項１に記載の方法。
【請求項７】
前記ランダムアクセスプリアンブルが新無線ランダムアクセスチャネル（ＮＲ−ＲＡＣＨ）プリアンブルを含む、請求項１に記載の方法。
【請求項８】
同期信号（ＳＳ）バーストセットのうちどのＳＳブロックがネットワークによって送信されているかの指示を、無線デバイスに送出することと、
前記無線デバイスがペアのスペクトルまたはペアでないスペクトルのどちらで動作しているかに基づいて、前記ＳＳバーストセットの少なくとも一部分の間、前記無線デバイスがランダムアクセスプリアンブルを送信するのを制限されるか否かを決定することであって、
周波数分割複信（ＦＤＤ）設定で動作している前記ＳＳバーストセットの間、前記無線デバイスが前記ランダムアクセスプリアンブルを送信するのを制限されず、
時分割複信（ＴＤＤ）設定で動作している前記ＳＳバーストセットの少なくとも一部分の間、前記無線デバイスが前記ランダムアクセスプリアンブルを送信するのを制限される、
前記無線デバイスがランダムアクセスプリアンブルを送信するのを制限されるか否かを決定することと、
前記無線デバイスが前記ランダムアクセスプリアンブルを送信するのを制限されていない時間の間、前記ランダムアクセスプリアンブルのランダムアクセスチャネルをモニタリングすることと
を含む、ネットワークノードで使用される方法。
【請求項９】
送信されるものとして指示される任意のＳＳブロックと時間が少なくとも部分的に重複しているいずれかのスロットにおいて、前記無線デバイスが前記ランダムアクセスプリアンブルを送信するのを制限されるように決定することを更に含む、請求項８に記載の方法。
【請求項１０】
どのＳＳブロックが送信されているかの前記指示が、無線リソース制御（ＲＲＣ）シグナリングを介して前記ネットワークから送出されるビットマップを含む、請求項８に記載の方法。
【請求項１１】
命令を格納するように動作可能なメモリと、前記命令を実行するように動作可能な処理回路構成とを備えた無線デバイスであって、前記無線デバイスが、
同期信号（ＳＳ）バーストセットのうちどのＳＳブロックが前記ネットワークによって送信されているかの指示を、ネットワークから受信することと、
無線デバイスがペアのスペクトルまたはペアでないスペクトルのどちらで動作しているかに基づいて、前記ＳＳバーストセットの少なくとも一部分の間、ランダムアクセスプリアンブルの送信を制限するか否かを決定することであって、
前記無線デバイスが周波数分割複信（ＦＤＤ）設定で動作している前記ＳＳバーストセットの間、前記無線デバイスが前記ランダムアクセスプリアンブルを送信するのを制限されず、
前記無線デバイスが時分割複信（ＴＤＤ）設定で動作している前記ＳＳバーストセットの少なくとも一部分の間、前記無線デバイスが前記ランダムアクセスプリアンブルを送信するのを制限される、
ランダムアクセスプリアンブルの送信を制限するか否かを決定することと、
前記ランダムアクセスプリアンブルの送信が制限されていない時間の間、前記ランダムアクセスプリアンブルを送信することと
を含む動作を実施するように動作可能である、無線デバイス。
【発明の詳細な説明】
【技術分野】
【０００１】
本開示は、全体として、無線通信で使用されるランダムアクセス手順に関し、より具体的には、時間的なＮＲ−ＲＡＣＨ設定に関する。
【背景技術】
【０００２】
ランダムアクセス手順
ランダムアクセス（ＲＡ）手順は、セルラーシステムにおける重要な機能である。ＬＴＥでは、ネットワークにアクセスしようとする無線デバイス、例えばユーザ機器（ＵＥ）は、物理ランダムアクセスチャネル（ＰＲＡＣＨ）のアップリンクでプリアンブル（例えば、Ｍｓｇ１）を送信することによって、ランダムアクセス手順を開始する。プリアンブルを受信し、ランダムアクセスの試行を検出する、Ｎｅｘｔ  Ｇｅｎｅｒａｔｉｏｎ  ＮｏｄｅＢ（ｇＮＢ）またはＴＲＰ（Ｔｒａｎｓｍｉｓｓｉｏｎ  ａｎｄ  Ｒｅｃｅｐｔｉｏｎ  Ｐｏｉｎｔ、即ち基地局、アクセスノード）は、ランダムアクセス応答（ＲＡＲ、例えばＭｓｇ２）を送信することによって、ダウンリンクで応答する。ＲＡＲは、端末識別のための以下の後続メッセージ（例えば、Ｍｓｇ３）をアップリンクで送信することによって、ＵＥが手順を継続するためのアップリンクスケジューリンググラントを保持している。同様の手順が新無線（ＮＲ）に関して想起される。例えば、図１は、ＮＲに関して考慮される初期アクセス手順の一例を示している。
【０００３】
ＰＲＡＣＨプリアンブルを送信する前に、ＵＥは、一連の同期信号と、場合によっては更に別のチャネルで受信された設定パラメータで補完される、ＳＳブロック（例えば、ＮＲ−ＰＳＳ、ＮＲ−ＳＳＳ、ＮＲ−ＰＢＣＨ）のブロードキャストチャネルに対する設定パラメータとの両方を受信する。
【０００４】
ＮＲに対するＰＲＡＣＨプリアンブルの可能な設計は、図２のフォーマット２〜５（ＰＲＡＣＨプリアンブルフォーマット）によっても例示されるような、Ｒ１−１６０９６７１、「ＮＲ  ＰＲＡＣＨプリアンブル設計」、３ＧＰＰ  ＴＳＧ−ＲＡＭ  ＷＧ１  ＃８６ｂｉｓ、Ｌｉｓｂｏｎ、Ｐｏｒｔｕｇａｌ、Ｓｅｐｔｅｍｂｅｒ  １０〜１４、２０１６に記載されている。このＰＲＡＣＨフォーマットは、繰返しの間のサイクリックプレフィックス（ＣＰ）なしで、同じＰＲＡＣＨ シーケンス（またはＰＲＡＣＨ  ＯＦＤＭシンボル）を繰り返すことによって、１つのＰＲＡＣＨ  ＯＦＤＭシンボルが次のＰＲＡＣＨ  ＯＦＤＭシンボルに対するサイクリックプレフィックスとして作用することに基づく。
【０００５】
図２は、異なるカバレッジの状況に、または異なる受信機のビーム形成掃引（beamforming sweep）に使用することができるように、ＰＲＡＣＨプリアンブルの長さが異なる、６つのフォーマットを示している。各フォーマットの長さはサブキャリア間隔に応じて変更されてもよい。ここで、１４のＰＵＳＣＨ  ＯＦＤＭシンボルを各スロットに有する、水平軸上の時間単位として、スロットが使用される。
【０００６】
１つのＳＳブロックから一組のＰＲＡＣＨプリアンブルへのマッピングは、各ＳＳブロックと関連付けられたＰＲＡＣＨプリアンブルの数に応じて決まる。ここで、ＳＳブロックの最大数Ｌは、ＳＳブロックの最大数が１〜６４から選択されるべきとする３ＧＰＰ  ＲＡＮ１  ＃８８ｂｉｓにおける協定にしたがった、搬送周波数に応じて決まる。
【０００７】
協定
ＳＳブロックの考慮された最大数Ｌは、異なる周波数範囲に対するＳＳバーストセット内で、次の通りである。
３ＧＨｚ以下の周波数範囲の場合、ＳＳバーストセット内におけるＳＳブロックの最大数Ｌは、［１，２，４］である。
３ＧＨｚ〜６ＧＨｚの周波数範囲の場合、ＳＳバーストセット内におけるＳＳブロックの最大数Ｌは、［４，８］である。
６ＧＨｚ〜５２．６ＧＨｚの周波数範囲の場合、ＳＳバーストセット内におけるＳＳブロックの最大数Ｌは、［６４］である。
Ｌの値を仕様に反映させる方法はＦＦＳである。
上述の値は、ＮＲの初期アクセス設計を容易にし、仕様への影響を評価するのに使用されるべきものである。
統一周波数不可知シグナリング（unified frequency agnostic signaling）設計を有する可能性は除外されない。
更に、全てのＳＳブロックが実際に送信されるわけではないことを示すのが可能であることが提案される。
【０００８】
作業仮説
６ＧＨｚ未満および６ＧＨｚ超過の両方の事例に関して実際に送信されたＳＳブロックを示すため、フルビットマップを用いるＵＥ特異的なＲＲＣシグナリングを使用することができる。
実際に送信されたＳＳブロックは、６ＧＨｚ未満および６ＧＨｚ超過の両方の事例に関して、ＲＭＳＩで示される。
指示は、６ＧＨｚを上回る事例では圧縮形態であり、指示方法は、次の代替例から絞り込まれる。
代替例１：グループ−ビットマップ＋グループ内ビットマップ
グループは、連続するＳＳ／ＰＢＣＨブロックとして定義される。
グループ内ビットマップは、グループ内のどのＳＳ／ＰＢＣＨブロックが実際に送信されるかを示すことができ、各グループは同じＳＳ／ＰＢＣＨブロック送信パターンを有し、グループ−ビットマップはどのグループが実際に送信されるかを示すことができる。
例えば、８グループ、および１グループ当たり８つのＳＳ／ＰＢＣＨブロックの場合、［８］＋［８］ビットである。
代替例２：グループ−ビットマップ＋グループ内の実際に送信されたＳＳ／ＰＢＣ  Ｈブロック数（ＳＳ／ＰＢＣＨブロックの開始インデックスは固定）
グループは、連続するＳＳ／ＰＢＣＨブロックとして定義される。
グループ−ビットマップは、どのグループが実際に送信されるかを示すことができ、グループ内のＳＳ／ＰＢＣＨブロックは論理的に連続しており、実際に送信されたＳＳ／ＰＢＣＨブロックの数は、第１のインデックスから始まっていくつの論理的に連続したＳＳ／ＰＢＣＨブロックが実際に送信されるかを示し、数は、全ての送信されたグループに共通して適用される。
例えば、８グループ、および１グループ当たり８つのＳＳ／ＰＢＣＨブロックの場合、［８］＋［３］ビットである。
代替例３：グループ内ビットマップ＋実際に送信されたグループの数（グループの開始インデックスは固定）
グループは、連続するＳＳ／ＰＢＣＨブロックとして定義される。
グループ内ビットマップは、グループ内のどのＳＳ／ＰＢＣＨブロックが実際に送信されるかを示すことができ、各グループは同じＳＳ／ＰＢＣＨブロック送信パターンを有し、実際に送信されたグループの数は、第１のグループから始まっていくつの連続したグループが実際に送信されるかを示す。
例えば、８グループ、および１グループ当たり８つのＳＳ／ＰＢＣＨブロックの場合、［８］＋［３］ビットである。
代替例４：グループ−ビットマップ＋各グループ内の実際に送信されたＳＳ／ＰＢＣＨブロックの数
グループは、連続するＳＳ／ＰＢＣＨブロックとして定義される。
グループ−ビットマップは、どのグループが実際に送信されるかを示すことができ、グループ内のＳＳ／ＰＢＣＨブロックは論理的に連続しており、各グループの実際に送信されたＳＳ／ＰＢＣＨブロックの数は、第１のインデックスから始まっていくつの論理的に連続したＳＳ／ＰＢＣＨブロックが実際に送信されるかを示す。
８グループ、および１グループ当たり８つのＳＳ／ＰＢＣＨブロックの場合、最小で［８］＋［３］ビット、最大で［８］＋［３］×［８］ビットである。
代替例５：実際に送信されたＳＳ／ＰＢＣＨブロックの数＋開始インデックス＋２つの連続したＳＳ／ＰＢＣＨブロック間のギャップ
［６］＋［６］＋［６］ビット
代替例６：グループ−ビットマップ
グループは、連続するＳＳ／ＰＢＣＨブロックとして定義される。
グループ−ビットマップは、どのグループが実際に送信されるかを示すことができ、送信されたグループ内の全てのＳＳ／ＰＢＣＨブロックが実際に送信される。
例えば、８グループ、および１グループ当たり８つのＳＳ／ＰＢＣＨブロックの場合、［８］ビットである。
他の代替例が除外されるものではない。
指示されたリソースは、実際に送信されたＳＳブロックに対して保留される。
データチャネルは、実際に送信されたＳＳブロックの周辺でレートマッチングされる。
【０００９】
作業仮説
ＲＭＳＩで指示する場合
代替例１：グループ−ビットマップ（８ビット）＋グループ内ビットマップ（８ビット）
グループは、連続するＳＳ／ＰＢＣＨブロックとして定義される。
グループ内ビットマップは、グループ内のどのＳＳ／ＰＢＣＨブロックが実際に送信されるかを示すことができ、各グループは同じＳＳ／ＰＢＣＨブロック送信パターンを有し、グループ−ビットマップはどのグループが実際に送信されるかを示すことができる。
【００１０】
協定
以下の作業仮説を確認
６ＧＨｚ未満および６ＧＨｚ超過の両方の事例に関して実際に送信されたＳＳブロックを示すため、フルビットマップを用いるＵＥ特異的なＲＲＣシグナリングを使用することができる。
実際に送信されたＳＳブロックは、６ＧＨｚ未満および６ＧＨｚ超過の両方の事例に関して、ＲＭＳＩで示される。
指示は、６ＧＨｚを上回る事例では圧縮形態である。
指示されたリソースは、実際に送信されたＳＳブロックに対して保留される。
データチャネルは、実際に送信されたＳＳブロックの周辺でレートマッチングされる。
【００１１】
各セルの設定されたＰＲＡＣＨプリアンブルの数は、ＬＴＥでは６４であると定義した（例えば、３ＧＰＰ  ３６．２１１、セクション５．７．２）。これらのＰＲＡＣＨプリアンブルは、競合ベースアクセスと非競合ベースのアクセスとの間で共有される。
【発明の概要】
【００１２】
特定の実施形態によれば、無線デバイスで使用される方法が開示される。方法は、ＳＳバーストセットの少なくとも一部分の間、ランダムアクセスプリアンブルの送信を制限するか否かを決定することを含む。ＳＳバーストセットは、送信されるものとして指示される少なくとも１つのＳＳブロックを含む。
【００１３】
特定の実施形態によれば、無線デバイスは、メモリと処理回路構成とを備える。メモリは命令を格納するように動作可能である。処理回路構成は命令を実行するように動作可能である。無線デバイスは、ＳＳバーストセットの少なくとも一部分の間、ランダムアクセスプリアンブルの送信を制限するか否かを決定するように動作可能である。ＳＳバーストセットは、送信されるものとして指示される少なくとも１つのＳＳブロックを含む。
【００１４】
特定の実施形態によれば、コンピュータプログラム製品は、コンピュータ可読プログラムコードを格納する非一時的コンピュータ可読媒体を含む。コンピュータ可読プログラムコードは、ＳＳバーストセットの少なくとも一部分の間、ランダムアクセスプリアンブルの送信を制限するか否かを決定するプログラムコードを含む。ＳＳバーストセットは、送信されるものとして指示される少なくとも１つのＳＳブロックを含む。
【００１５】
上述の方法、無線デバイス、および／またはコンピュータプログラムコードは、以下のもののうちいずれか１つまたは複数を含む、他の様々な特徴を含んでもよい。
【００１６】
特定の実施形態では、方法／無線デバイス／コンピュータプログラムコードは、ランダムアクセスプリアンブルの送信が制限されない時間の間、ランダムアクセスプリアンブルを送信することを更に含む。
【００１７】
特定の実施形態では、方法／無線デバイス／コンピュータプログラムコードは、送信されるものとして指示される任意のＳＳブロックと時間が少なくとも部分的に重複しているいずれかのスロットにおいて、ランダムアクセスプリアンブルの送信を制限するように決定する。
【００１８】
特定の実施形態では、ランダムアクセスプリアンブルの送信を制限するか否かの決定は、全二重が使用可能かまたは使用不能かに少なくとも部分的に基づく。
【００１９】
特定の実施形態では、ランダムアクセスプリアンブルを制限する決定は、制限をオンに切り換えるというネットワークからの指示の受信に応答して行われる。
【００２０】
特定の実施形態では、ランダムアクセスプリアンブルを制限しない決定は、制限をオフに切り換えるというネットワークからの指示の受信に応答して行われる。
【００２１】
特定の実施形態では、ネットワークからの指示はオン／オフフラグを含む。
【００２２】
特定の実施形態では、制限をオンに切り換えるという指示は、ネットワークが全二重を使用不能にしていることに基づく。制限をオフに切り換えるという指示は、ネットワークが全二重を使用可能にしていることに基づく。
【００２３】
特定の実施形態では、ランダムアクセスプリアンブルの送信を制限するか否かの決定は、無線デバイスがＦＤＤシステムで動作しているという判定に応答して制限がオフに切り換えられることを考慮することを含む。
【００２４】
特定の実施形態では、ランダムアクセスプリアンブルの送信を制限するか否かの決定は、無線デバイスがＴＤＤシステムで動作しているという判定に応答して制限がオンに切り換えられることを考慮することを含む。
【００２５】
特定の実施形態では、無線デバイスは、ＳＳバーストセットが完了した後にのみ、ランダムアクセスプリアンブルを送信できるようにされる。
【００２６】
特定の実施形態では、無線デバイスは、送信されるものと指示されている最後のＳＳブロックが終了すると直ぐに、ＳＳバーストセットの間、ランダムアクセスプリアンブルを送信できるようにされる。
【００２７】
特定の実施形態では、方法／無線デバイス／コンピュータプログラムコードは、ネットワークからの指示を受信することを更に含む。指示は、ＳＳバーストセットのうちどのＳＳブロックがネットワークによって送信されているかを指示する。いくつかの実施形態では、どのＳＳブロックが送信されているかの指示は、ＲＲＣシグナリングを介してネットワークから受信されるビットマップを含む。
【００２８】
特定の実施形態では、方法／無線デバイス／コンピュータプログラムコードは、ＰＲＡＣＨ設定インデックスを受信することと、ＰＲＡＣＨ設定インデックスにしたがってランダムアクセスプリアンブルを送信するが、送信されるＳＳブロックを受信するときは送信を回避することとを更に含む。
【００２９】
特定の実施形態では、ランダムアクセスプリアンブルはＮＲ−ＲＡＣＨプリアンブルを含む。
【００３０】
特定の実施形態では、ランダムアクセスプリアンブルの送信は設定テーブルにしたがう。いくつかの実施形態では、設定テーブルは、ランダムアクセスプリアンブルの開始位置を提供しない。いくつかの実施形態では、テーブルは、ランダムアクセスチャネル割当てに使用される全てのサブフレーム、スロット、または時間期間を指示する。
【００３１】
特定の実施形態では、方法／無線デバイス／コンピュータプログラムコードは更に、潜在的なＳＳブロック位置決めの間、ランダムアクセスプリアンブルの送信を制限するか否かを決定する。
【００３２】
特定の実施形態によれば、ネットワークノードで使用される方法が開示される。方法は、ＳＳバーストセットの少なくとも一部分の間、無線デバイスがランダムアクセスプリアンブルを送信するのを制限されるか否かを決定することを含む。ＳＳバーストセットは、送信されるものとして指示される少なくとも１つのＳＳブロックを含む。
【００３３】
特定の実施形態によれば、ネットワークノードは、メモリと処理回路構成とを備える。メモリは命令を格納するように動作可能である。処理回路構成は命令を実行するように動作可能である。ネットワークノードは、ＳＳバーストセットの少なくとも一部分の間、無線デバイスがランダムアクセスプリアンブルを送信するのを制限されるか否かを決定するように動作可能である。ＳＳバーストセットは、送信されるものとして指示される少なくとも１つのＳＳブロックを含む。
【００３４】
特定の実施形態によれば、コンピュータプログラム製品は、コンピュータ可読プログラムコードを格納する非一時的コンピュータ可読媒体を含む。コンピュータ可読プログラムコードは、ＳＳバーストセットの少なくとも一部分の間、無線デバイスがランダムアクセスプリアンブルを送信するのを制限されるか否かを決定するプログラムコードを含む。ＳＳバーストセットは、送信されるものとして指示される少なくとも１つのＳＳブロックを含む。
【００３５】
上述の方法、ネットワークノード、および／またはコンピュータプログラムコードは、以下のもののうちいずれか１つまたは複数を含む、他の様々な特徴を含んでもよい。
【００３６】
特定の実施形態では、方法／ネットワークノード／コンピュータプログラムコードは、無線デバイスがランダムアクセスプリアンブルを送信するのを制限されていない時間の間、ランダムアクセスプリアンブルのランダムアクセスチャネルをモニタリングすることを更に含む。
【００３７】
特定の実施形態では、方法／ネットワークノード／コンピュータプログラムコードは、送信されるものとして指示される任意のＳＳブロックと時間が少なくとも部分的に重複しているいずれかのスロットにおいて、無線デバイスがランダムアクセスプリアンブルを送信するのを制限されることを決定する。
【００３８】
特定の実施形態では、ＳＳバーストセットの少なくとも一部分の間、無線デバイスがランダムアクセスプリアンブルを送信するのを制限されるか否かの決定は、全二重が使用可能かまたは使用不能かに少なくとも部分的に基づく。
【００３９】
特定の実施形態では、方法／ネットワークノード／コンピュータプログラムコードは、制限をオンに切り換えるように指示する指示を、ネットワークノードから無線デバイスに送ることを更に含む。
【００４０】
特定の実施形態では、方法／ネットワークノード／コンピュータプログラムコードは、制限をオフに切り換えるように指示する指示を、ネットワークから無線デバイスに送ることを更に含む。
【００４１】
特定の実施形態では、指示はオンオフフラグを含む。
【００４２】
特定の実施形態では、制限をオンに切り換えるという指示は、ネットワークが全二重を使用不能にしていることに基づく。制限をオフに切り換えるという指示は、ネットワークが全二重を使用可能にしていることに基づく。
【００４３】
特定の実施形態では、方法／ネットワークノード／コンピュータプログラムコードは、ネットワークノードがＦＤＤ設定で動作しているＳＳバーストセットの間、無線デバイスがランダムアクセスプリアンブルを送信するのを制限されていないことを決定する。
【００４４】
特定の実施形態では、方法／ネットワークノード／コンピュータプログラムコードは、ネットワークがＴＤＤ設定で動作しているＳＳバーストセットの少なくとも一部分の間、無線デバイスがランダムアクセスプリアンブルを送信するのを制限されていることを決定する。
【００４５】
特定の実施形態では、ネットワークノードは、ＳＳバーストセットが完了した後のみ、無線デバイスがランダムアクセスプリアンブルを送信できるようにされるとの決定に応答して、ＳＳバーストセットが完了した後のみ、ランダムアクセスプリアンブルのランダムアクセスチャネルをモニタリングする。
【００４６】
特定の実施形態では、ネットワークノードは、送信されると指示されている最後のＳＳブロックが終了すると直ぐに、ＳＳバーストセットの間、無線デバイスがランダムアクセスプリアンブルを送信できるようにされるとの決定に応答して、送信されると指示されている最後のＳＳブロックが終了すると直ぐに、ＳＳバーストセットの間、ランダムアクセスプリアンブルのランダムアクセスチャネルをモニタリングする。
【００４７】
特定の実施形態では、方法／ネットワークノード／コンピュータプログラムコードは、ＳＳバーストセットのどのＳＳブロックがネットワークによって送信されていることを指示する指示を、無線デバイスに送ることを更に含む。いくつかの実施形態では、どのＳＳブロックが送信されているかの指示は、ＲＲＣシグナリングを介してネットワークから送られるビットマップを含む。
【００４８】
特定の実施形態では、方法／ネットワークノード／コンピュータプログラムコードは、無線デバイスがランダムアクセスプリアンブルを送信するのを制限されているときを除いて、ＰＲＡＣＨ設定インデックスを送ることと、ＰＲＡＣＨ設定インデックスにしたがってＰＲＡＣＨをモニタリングすることとを更に含む。
【００４９】
特定の実施形態では、ランダムアクセスプリアンブルはＮＲ−ＲＡＣＨプリアンブルを含む。
【００５０】
特定の実施形態では、ランダムアクセスプリアンブルのランダムアクセスチャネルのモニタリングは設定テーブルにしたがう。いくつかの実施形態では、設定テーブルは、ランダムアクセスプリアンブルの開始位置を提供しない。いくつかの実施形態では、テーブルは、ランダムアクセスチャネル割当てに使用される全てのサブフレーム、スロット、または時間期間を指示する。
【００５１】
特定の実施形態では、方法／ネットワークノード／コンピュータプログラムコードは更に、潜在的なＳＳブロック位置決めの間、無線デバイスがランダムアクセスプリアンブルを送信するのを制限されるか否かを決定する。
【００５２】
本開示の特定の実施形態は、１つまたは複数の技術的利点を有することができる。特定の実施形態は、ランダムアクセスプリアンブル送信がＳＳブロック送信と衝突するのを防ぐ。例えば、特定の実施形態によって、無線デバイスは、ネットワークによって送信されるＳＳブロックの位置決めに基づいて、ＰＲＡＣＨ設定が可能にしたとしても、無線デバイスがランダムアクセスプリアンブルを送信するのを制限することが可能になる。更に別の例では、特定の実施形態によって、全ＳＳブロックバーストセットが送信される前に、無線デバイスがランダムアクセスプリアンブルを送信することが可能になる。このようにして、ＳＳブロックバーストセットの持続時間が長い場合であっても、ランダムアクセスプリアンブルを送ることができ、例えば、無線デバイスからのＲＡＣＨ送信を失敗しないことを保証できる、ＳＳブロックを送信する位置決めが限定されてもよい。他の利点は当業者には容易に明白となる。特定の実施形態は、上記に列挙した利点を１つも有さないか、そのいくつか、または全てを有してもよい。
【００５３】
開示される実施形態ならびにそれらの特徴および利点を更に完全に理解するため、以下、添付図面と併せて以下の説明を参照する。
【図面の簡単な説明】
【００５４】
【図１】特定の実施形態による、セルラーシステムにおけるランダムアクセスを示す一例のシグナリング図である。
【図２】特定の実施形態による、一例の物理ランダムアクセスチャネル（ＰＲＡＣＨ）プリアンブルフォーマットを示す図である。
【図３】特定の実施形態による、一例のネットワークを示すブロック図である。
【図４】特定の実施形態による、一例の無線デバイスを示すブロック図である。
【図５】特定の実施形態による、一例のネットワークノードを示すブロック図である。
【図６】特定の実施形態による、一例の無線ネットワークコントローラまたはコアネットワークノードを示すブロック図である。
【図７】特定の実施形態による、１つまたは複数の機能モジュールを含む一例の無線デバイスを示すブロック図である。
【図８】特定の実施形態による、１つまたは複数の機能モジュールを含む一例のネットワークノードを示すブロック図である。
【図９】特定の実施形態による、無線デバイスで使用される方法の一例を示す図である。
【図１０】特定の実施形態による、ネットワークノードで使用される方法の一例を示す図である。
【図１１】特定の実施形態による、無線デバイスで使用される方法の一例を示す図である。
【図１２】特定の実施形態による、ネットワークノードで使用される方法の一例を示す図である。
【発明を実施するための形態】
【００５５】
特定の実施形態では、ＮＲ−ＲＡＣＨの割当てパターンは、３ＧＰＰ  ＴＳ  ３６．２１１のＬＴＥテーブル５．７．１−２に類似したテーブルを使用して設定することができる。ＬＴＥでは、（フレーム構造タイプ１の）４つのプリアンブルフォーマットの間で均等に分配されるのではなく、６４のＰＲＡＣＨ設定インデックスがあり、即ち、プリアンブルフォーマット１つ当たり平均１６のＰＲＡＣＨ設定がある。ＮＲでは、１４のプリアンブルフォーマットが承認されている。１２８のＰＲＡＣＨ設定インデックスにより、プリアンブルフォーマット１つ当たり９〜１０の設定を有することができる。
【００５６】
特定の実施形態では、設定テーブルは、ＮＲ−ＲＡＣＨ割当ての開始位置を指示する。各開始位置は、最後のＳＳバーストセットの実際に送信されるＳＳブロックセット（概して、ＮＲ−ＲＡＣＨリソースの正確に１つのサブフレームには対応しない）に対して関連付ける必要がある、ＮＲ−ＲＡＣＨリソースのフルセットの始まりをマーキングする。これは、いくつかの長いプリアンブルフォーマットが１つを超えるサブフレームを占めることがある、ＬＴＥに類似している。フレームおよびサブフレームの使用によって（スロットとは対照的に）、ＮＲ−ＲＡＣＨの時間的位置決めを数秘術の間で位置合わせすることができ、それによって、全二重および／または全デジタルビーム形成がない場合のＴＲＰ  ＮＲ−ＲＡＣＨ受信を単純にすることができることに留意されたい。開始位置は、ＳＳブロックがハーフフレームのスロットに対してどのように関連するかを考慮して選択されてもよい。いくつかの実施形態では、長いプリアンブルを有するフォーマットは、短いフォーマットよりも少ないテーブルの行専用であってもよい。６ＧＨｚを上回る周波数に対して相似のテーブルを提供することができるが、いくつかのフォーマットが許可されないことがあるので、より多数のテーブルの行を残りのフォーマットそれぞれの専用にすることができる。
【００５７】
ＮＲのＲＡＣＨに対するテーブルの設定には、ＬＴＥで使用されるテーブルでは適切に対処されないいくつかの考慮点が関与することがある。例えば、ＬＴＥテーブルを管理可能なサイズに保つため、どの時間リソースを使用するかの設定可能性においていくつかの限定があることがある。例えば、ＲＡＣＨに対して必要な数よりも多数のリソースが設定されることがあり、それによって他の送信が妨害される可能性がある。
【００５８】
ＬＴＥでは、一般的にはＬＴＥ基地局が、（潜在的な）ＲＡＣＨ信号の聴取と同時に他のタイプの信号およびデータの受信ならびに送信することに対応するので、これは重要な問題ではないことがある。しかしながら、ＮＲシステムでは、一般的に全二重を防止するＴＤＤが使用されることがあり、例えば、ＮＲ  ＴＲＰは、潜在的なＲＡＣＨ受信を聴取している間は全く何も送信することができない。また、ＮＲ  ＴＲＰは、アナログまたはハイブリッドビーム形成を使用することがあり、（潜在的な）ＲＡＣＨ信号の聴取と同時に他の信号またはデータを受信する能力が制限される。ＬＴＥはまた、ＴＤＤに対応し、この場合のテーブル（例えば、３ＧＰＰ  ＴＳ  ３６．２１１のテーブル５．７．１−２を参照）を提供するが、これによってテーブルが非常に複雑で非効率なものになる。また、制限されたテーブルの柔軟性に関する問題は、ＬＴＥの比較的少ないフォーマット（例えば、ＴＤＤおよびＦＤＤを網羅する５つのフォーマット）と比較して、ＮＲに関して同意された１４の異なるＲＡＣＨフォーマットがあるため、ＮＲにおいてより顕著なことがある。
【００５９】
本開示の特定の実施形態は、これらおよび他の課題に対する解決策を提供することができる。一例として、特定の実施形態によって、利用可能な設定テーブルを比較的単純なままにすることが可能になるが、ＳＳブロックを送信できる可能性があるか、あるいはＵＥによって実際に送信されるものとして指示されたときに、ＵＥがＰＲＡＣＨプリアンブルを送信することが許可されないように制限することによって、設定が限定される。
【００６０】
本開示の特定の実施形態は、１つまたは複数の技術的利点を有することができる。一例として、ＳＳブロックのネットワーク（ＴＲＰ）からの送信を妨げることなく、ＰＲＡＣＨリソースの時間的な設定を効率的に行うことができる。全ＳＳブロックバーストセットは原則的に、本開示で提案される解決策がなくても、非常に長い持続時間であり得るが、（ＵＥからのＲＡＣＨ送信に失敗するリスクなしに）ＳＳブロックを送信する時間位置を見つけるのは困難な場合があることに留意されたい。
【００６１】
ＲＡＣＨ、ＮＲ−ＲＡＣＨ、およびＰＲＡＣＨという用語は、本開示を通して同義語として広く使用される。より正確な用法では、ＰＲＡＣＨは、具体的には物理チャネルを指し、ＲＡＣＨはより汎用的である。ＲＡＣＨは、ＬＴＥおよびＮＲの両方を指す場合があり、その意味は文脈から明らかなはずである。特定の実施形態は、各タイプのＲＡＣＨに適用可能であってもよい。
【００６２】
上述したように、特定の実施形態によって、ＲＡＣＨ設定（例えば、テーブルにコンパイルされる）の利用可能範囲を比較的単純なままにすることが可能になるが、ＳＳブロックが実際に送信されるものとして指示されたときに、ＵＥがＮＲ−ＲＡＣＨプリアンブルを送信することが許可されないように制限された範囲を補う。
【００６３】
一実施形態では、ＵＥは、実際に送信されるものと指示されるいずれかのＳＳブロックと時間が少なくとも部分的に重複している任意のスロットにおいて、ＮＲ−ＲＡＣＨプリアンブルの送信が許可されない。したがって、実際に送信されるＳＳブロックと衝突しない、可能なＮＲ−ＲＡＣＨプリアンブルの機会（持続時間はスロットよりも短い）がある場合であっても、スロットの任意の部分が、実際に送信されるものとして指示されるＳＳブロック内にある／ＳＳブロックと重なり合っても、可能な機会は許可されない。
【００６４】
一実施形態では、不許可は、例えば１つのフラグビットを使用して、適応的にオンまたはオフに切り換えることができる。これは、ＴＲＰが全二重を扱うことができる場合に不許可をオフに切り換えるように、ネットワークによって使用することができる。
【００６５】
一実施形態では、不許可は、システムがＦＤＤシステムの場合、ＵＥによって（ネットワークからのかかるコマンドがなくても）オフに切り換えられるものと見なされる。ＴＲＰによる全二重には一般的にＦＤＤシステムが対応しているので、これは有用であり得る。いくつかの実施形態では、不許可は、システムがＴＤＤシステムの場合、ＵＥによってオンに切り換えられるものと見なされる。いくつかの実施形態では、不許可は、ネットワークの別のノードからのコマンドなしに、ＵＥによって決定されてもよい。例えば、ＵＥは、ＵＥがＦＤＤシステムによってサーブされているという決定に基づいて、不許可をオフに切り換えるように決定してもよい。特定の実施形態では、ＦＤＤはペアのスペクトルで使用され、ＴＤＤはペアでないスペクトルで使用される。したがって、特定の実施形態では、システムがペアのスペクトルを使用している場合（システムがＦＤＤシステムであることの指示）、不許可はオフに切り換えられるものと見なされ、システムがペアでないスペクトルを使用している場合（システムがＴＤＤシステムであることの指示）、不許可はオンに切り換えられるものと見なされる。
【００６６】
いくつかの代替実施形態では、ＵＥは、ＳＳバーストセットが完了した後にのみ送信を許可され、即ちＵＥは、ＳＳバーストセットの「穴」の内部（ＳＳバーストセット内の実際に送信されるＳＳブロック群またはＳＳブロックではない）で送信を許可される。いくつかの実施形態では、ＵＥは、可能なＳＳブロック（最大長さＬ）の全セットが経過した後に送信を許可されるが、いくつかの実施形態では、ＵＥは、実際に送信されるものとして指示される最後のＳＳブロックが終了すると直ぐに送信を許可される。
【００６７】
特定の実施形態によれば、無線デバイスにおける方法は、
無線デバイスが、実際に送信されるＳＳブロックおよび／またはＳＳブロックのうちのブロックの指示を受信することと、
無線デバイスが、ＰＲＡＣＨ設定インデックスを受信することと、
無線デバイスが、ＰＲＡＣＨ設定インデックス（および関連する標準化テーブル）にしたがって、ただし、実際に送信されるＳＳブロックに使用される時間インスタンス（または時間スロット）における送信は回避して、ＲＡＣＨプリアンブルを送信することを含む。
【００６８】
他の実施形態では、上記および下記の実施形態は全て、「実際に送信されるものとして指示されるＳＳブロック」を潜在的なＳＳブロック位置と置き換えることによって修正される。例えば、ＵＥは、プリアンブルとＳＳブロックのいずれかの潜在的な位置との間に重複があるか否かに基づいて、設定を制限してもよい。潜在的なＳＳブロック位置は、ＳＳブロック位置候補とも呼ばれることもある。潜在的なＳＳブロック／ＳＳブロック候補は、ＳＳブロックを送信する選択肢として利用可能であってもよく、例えば、実際に送信されるＳＳブロックは、潜在的なＳＳブロック／ＳＳブロック候補のサブセットを含んでもよい。特定の実施形態では、潜在的なＳＳブロック／ＳＳブロック候補は、最近の３ＧＰＰ協定で許可されている全てのＬ位置に対応する。
【００６９】
いくつかの実施形態では、設定のテーブルは、ＬＴＥでは指定されているようなＲＡＣＨプリアンブルの開始位置を提供しない。代わりに、テーブルは、ＲＡＣＨ割当てに使用されるべき全てのサブフレーム（あるいはスロット、または他の時間単位）を列挙（または別の形で指示）する。
【００７０】
いくつかの実施形態では、ネットワークノード／ＴＲＰにおける方法は、ネットワークが全ＳＳバーストセット（長さＬ）よりも短いことによって設定されるＲＡＲウィンドウと、実際に送信されないように設定されたＳＳバーストセット内のいくつかのＳＳブロック群とを含み、それら実際に送信されないＳＳブロックのうち少なくともいくつかは、テーブル内のかかるインデックスを選択することによって、ＲＡＣＨ送信向けに設定される。
【００７１】
背景技術および実施形態の一部の一例として、ＲＡＣＨ設定テーブルについて言及したが、本発明は、かかるテーブルの存在に依存しないことに留意されたい。特定の実施形態は、時間ドメインにおいてＲＡＣＨリソースを指定する他の系統的または半系統的な手法に等しく適用可能であり得る。
【００７２】
図３は、特定の実施形態による、ネットワーク１００の一実施形態を示すブロック図である。ネットワーク１００は、１つまたは複数のＵＥ  １１０（交換可能に無線デバイス１１０と呼ばれることがある）と、１つまたは複数のネットワークノード１１５（交換可能にｇＮＢ  １１５と呼ばれることがある）とを含む。ＵＥ  １１０は、無線インターフェースを通じてネットワークノード１１５と通信してもよい。例えば、ＵＥ  １１０は、無線信号をネットワークノード１１５の１つまたは複数に送信し、ならびに／あるいは無線信号をネットワークノード１１５の１つまたは複数から受信してもよい。無線信号は、音声トラフィック、データトラフィック、制御信号、および／または他の任意の適切な情報を含んでもよい。いくつかの実施形態では、ネットワークノード１１５と関連付けられた無線信号カバレッジの範囲は、セル１２５と呼ばれることがある。いくつかの実施形態では、ＵＥ  １１０はデバイスツーデバイス（Ｄ２Ｄ）能力を有してもよい。したがって、ＵＥ  １１０は、別のＵＥから直接信号を受信し、ならびに／あるいは別のＵＥに直接信号を送信することができてもよい。
【００７３】
特定の実施形態では、ネットワークノード１１５は無線ネットワークコントローラとインターフェース接続してもよい。無線ネットワークコントローラは、ネットワークノード１１５を制御してもよく、特定の無線リソース管理機能、モビリティ管理機能、および／または他の適切な機能を提供してもよい。特定の実施形態では、無線ネットワークコントローラの機能はネットワークノード１１５に含まれてもよい。無線ネットワークコントローラは、コアネットワークノードとインターフェース接続してもよい。特定の実施形態では、無線ネットワークコントローラは、相互接続ネットワーク１２０を介してコアネットワークノードとインターフェース接続してもよい。相互接続ネットワーク１２０は、音声、映像、信号、データ、メッセージ、またはそれらの任意の組み合わせを送信することができる、任意の相互接続システムを指してもよい。相互接続ネットワーク１２０は、公衆交換電話網（ＰＳＴＮ）、公衆もしくは私設データ網、ローカルエリアネットワーク（ＬＡＮ）、メトロポリタンエリアネットワーク（ＭＡＮ）、広域ネットワーク（ＷＡＮ）、インターネットなどの、ローカル、地域、もしくはグローバル通信またはコンピュータネットワーク、有線もしくは無線ネットワーク、企業イントラネット、あるいは前述のものの組み合わせを含む他の任意の適切な通信リンクの、全てまたは一部分を含んでもよい。
【００７４】
いくつかの実施形態では、コアネットワークノードは、ＵＥ  １１０の通信セッションの確立および他の様々な機能性を管理してもよい。ＵＥ  １１０は、非アクセスストラタム（non-access stratum）（ＮＡＳ）レイヤを使用して、コアネットワークノードと特定の信号を交換してもよい。非アクセスストラタムシグナリングでは、ＵＥ  １１０とコアネットワークノードとの間の信号は、無線アクセスネットワークを透過伝送されてもよい。特定の実施形態では、ネットワークノード１１５は、インターノードインターフェースを通じて、１つまたは複数のネットワークノードとインターフェース接続してもよい。
【００７５】
上述したように、ネットワーク１００の例示の実施形態は、１つまたは複数の無線デバイス１１０と、無線デバイス１１０と（直接もしくは間接的に）通信することができる、１つまたは複数の異なるタイプのネットワークノードとを含んでもよい。
【００７６】
いくつかの実施形態では、非限定的な用語ＵＥが使用される。ＵＥ  １１０は、本明細書では、無線信号を通じてネットワークノード１１５または別のＵＥと通信することができる、任意のタイプの無線デバイスであることができる。ＵＥ  １１０はまた、無線通信デバイス、標的デバイス、Ｄ２Ｄ  ＵＥ、ＮＢ−ＩｏＴデバイス、ＭＴＣ  ＵＥもしくはマシンツーマシン通信（Ｍ２Ｍ）が可能なＵＥ、低コストおよび／もしくは低複雑性ＵＥ、ＵＥを装備したセンサ、タブレット、移動端末、スマートフォン、ラップトップ組込機器（ＬＥＥ）、ラップトップ搭載機器（ＬＭＥ）、ＵＳＢドングル、加入者宅内機器（ＣＰＥ）などであってもよい。
【００７７】
また、いくつかの実施形態では、総称的用語「無線ネットワークノード」（または単純に「ネットワークノード」）が使用される。任意の種類のネットワークノードであることができ、ｇＮＢ、基地局（ＢＳ）、無線基地局、Ｎｏｄｅ  Ｂ、基地局（ＢＳ）、ＭＳＲ  ＢＳなどのマルチスタンダード無線（ＭＳＲ）無線ノード、エボルブドＮｏｄｅ  Ｂ（ｅＮＢ）、ネットワークコントローラ、無線ネットワークコントローラ（ＲＮＣ）、基地局コントローラ（ＢＳＣ）、中継ノード、中継ドナーノード制御リレー、ベーストランシーバ基地局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散アンテナシステム（ＤＡＳ）のノード、マルチセル／マルチキャスト調整エンティティ（ＭＣＥ）、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴ、または他の任意の適切なネットワークノードを含んでもよい。
【００７８】
ネットワークノードおよびＵＥなどの用語は、非限定的であると見なされるべきであり、特に、２つの間の特定の階層的関係を示唆するものではなく、一般に、「ｅＮｏｄｅＢ」はデバイス１、「ＵＥ」はデバイス２と見なすことができ、これら２つのデバイスは、何らかの無線チャネルを通じて互いと通信する。
【００７９】
ＵＥ  １１０、ネットワークノード１１５、および他のネットワークノード（無線ネットワークコントローラまたはコアネットワークノードなど）の例示の実施形態については、図４〜８を参照して以下で更に詳細に記載する。
【００８０】
図３は、ネットワーク１００の特定の配置を示しているが、本開示は、本明細書に記載する様々な実施形態が、任意の適切な構成を有する様々なネットワークに適用されてもよいものと考える。例えば、ネットワーク１００は、任意の適切な数のＵＥ  １１０およびネットワークノード１１５を、ならびにＵＥ間またはＵＥと別の通信デバイス（有線電話など）との通信に対応するのに適した、任意の追加の要素を含んでもよい。更に、特定の実施形態はＮＲまたは５Ｇネットワークで実現されるものと記載されることがあるが、実施形態は、任意の適切な通信に対応し、任意の適切なコンポーネントを使用する、任意の好適なタイプの電気通信システムの形で実現されてもよく、ＵＥが信号（例えば、データ）を受信および／または送信する、任意の無線アクセス技術（ＲＡＴ）またはマルチＲＡＴシステムに適用可能である。例えば、本明細書に記載する様々な実施形態は、ＩｏＴ、ＮＢ−ＩｏＴ、ＬＴＥ、ＬＴＥアドバンスト、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、別の適切な無線アクセス技術、または１つもしくは複数の無線アクセス技術の任意の適切な組み合わせに適用可能であってもよい。
【００８１】
図４は、特定の実施形態による、例示の無線デバイス１１０のブロック図である。無線デバイス１１０は、ノードと、ならびに／またはセルラーもしくは移動体通信システムの別の無線デバイスと通信する、任意のタイプの無線デバイスを指してもよい。無線デバイス１１０の例としては、移動電話、スマートフォン、ＰＤＡ（携帯情報端末）、ポータブルコンピュータ（例えば、ラップトップ、タブレット）、センサ、モデム、ＭＴＣデバイス／マシンツーマシン（Ｍ２Ｍ）デバイス、ラップトップ組込機器（ＬＥＥ）、ラップトップ搭載機器（ＬＭＥ）、ＵＳＢドングル、Ｄ２Ｄが可能なデバイス、または無線通信を提供することができる別のデバイスが挙げられる。無線デバイス１１０はまた、いくつかの実施形態では、ＵＥ、局（ＳＴＡ）、デバイス、または端末と呼ばれることもある。無線デバイス１１０は、送受信機７１０と、処理回路構成７２０と、メモリ７３０とを含む。いくつかの実施形態では、送受信機７１０は、（例えば、アンテナ７４０を介して）無線信号をネットワークノード１１５に送信し、無線信号をネットワークノード１１５から受信することを容易にし、処理回路構成７２０（例えば、１つもしくは複数のプロセッサを含んでもよい）は、命令を実行して、上述した機能性の一部または全てを、無線デバイス１１０によって提供されるものとして提供し、メモリ７３０は、処理回路構成７２０によって実行される命令を格納する。
【００８２】
処理回路構成７２０は、命令を実行しデータを操作して、本明細書に記載するＵＥ  １１０（例えば、無線デバイス１１０）の機能など、無線デバイス１１０の記載される機能の一部または全てを実施する、１つまたは複数のモジュールに実装されるハードウェアおよびソフトウェアの任意の適切な組み合わせを含んでもよい。例えば、一般に、処理回路構成は、同期信号（ＳＳ）ブロックの少なくとも一部分が実際に送信されるものとして指示されたとき（あるいは、ＳＳブロックの少なくとも一部分を場合によっては送信することができるとき）、ランダムアクセスプリアンブルの送信を制限するか否かを決定してもよい。いくつかの実施形態では、処理回路構成７２０は、例えば、１つまたは複数のコンピュータ、１つまたは複数の中央処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）、ならびに／あるいは他の論理を含んでもよい。
【００８３】
メモリ７３０は、一般に、１つもしくは複数の論理、規則、アルゴリズム、コード、テーブルなどを含む、コンピュータプログラム、ソフトウェア、アプリケーションなどの命令、ならびに／あるいはプロセッサによって実行することができる他の命令を格納するように動作可能である。メモリ７３０の例としては、コンピュータメモリ（例えば、ランダムアクセスメモリ（ＲＡＭ）もしくは読出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／あるいは、プロセッサ１０２０によって使用されてもよい情報、データ、および／または命令を格納する、他の任意の揮発性もしくは不揮発性非一時的コンピュータ可読および／またはコンピュータ実行可能メモリデバイスが挙げられる。
【００８４】
無線デバイス１１０の他の実施形態は、任意に、上述した機能性のいずれか、および／または追加のいずれかの機能性（上述の解決策に対応するのに必要ないずれかの機能性を含む）を含む、無線デバイスの機能性の特定の態様を提供することに関与してもよい、図４に示されるものを超える追加のコンポーネントを含んでもよい。単なる一例として、無線デバイス１１０は、処理回路構成７２０の一部であってもよい、入力デバイスおよび回路、出力デバイス、および１つもしくは複数の同期ユニットまたは回路を含んでもよい。入力デバイスは、データを無線デバイス１１０に入力するメカニズムを含む。例えば、入力デバイスは、マイクロフォン、入力素子、ディスプレイなどの入力メカニズムを含んでもよい。出力デバイスは、音声、映像、および／またはハードコピーフォーマットの形でデータを出力するメカニズムを含んでもよい。例えば、出力デバイスは、スピーカ、ディスプレイなどを含んでもよい。
【００８５】
図５は、特定の実施形態による、例示のネットワークノード１１５のブロック図である。ネットワークノード１１５は、任意のタイプの無線ネットワークノード、またはＵＥおよび／もしくは別のネットワークノードと通信する任意のネットワークノードであってもよい。ネットワークノード１１５の例としては、ｇＮＢ、ｅＮｏｄｅＢ、ノード  Ｂ、基地局、無線アクセスポイント（例えば、Ｗｉ−Ｆｉアクセスポイント）、低電力ノード、ベーストランシーバ基地局（ＢＴＳ）、リレー、ドナーノード制御リレー、送信ポイント、送信ノード、リモートＲＦユニット（ＲＲＵ）、リモート無線ヘッド（ＲＲＨ）、ＭＳＲ  ＢＳなどのマルチスタンダード無線（ＭＳＲ）ノード、分散アンテナシステム（ＤＡＳ）のノード、Ｏ＆Ｍ、ＯＳＳ、ＳＯＮ、測位ノード（例えば、Ｅ−ＳＭＬＣ）、ＭＤＴ、または他の適切なネットワークノードが挙げられる。ネットワークノード１１５は、ホモジニアス配置、ヘテロジニアス配置、または混合配置として、ネットワーク１００全体にわたって配置されてもよい。ホモジニアス配置は、一般に、同じ（もしくは類似の）タイプのネットワークノード１１５、ならびに／または類似のカバレッジおよびセルサイズおよびサイト間距離で作られた配置を説明してもよい。ヘテロジニアス配置は、一般に、異なるセルサイズ、送信電力、容量、およびサイト間距離を有する、様々なタイプのネットワークノード１１５を使用する配置を説明してもよい。例えば、ヘテロジニアス配置は、マクロセルレイアウト全体にわたって位置する複数の低電力ノードを含んでもよい。混合配置は、ホモジニアス部分とヘテロジニアス部分の混合を含んでもよい。
【００８６】
ネットワークノード１１５は、送受信機８１０、処理回路構成８２０（例えば、１つもしくは複数のプロセッサを含んでもよい）、メモリ８３０、およびネットワークインターフェース８４０のうち１つまたは複数を含んでもよい。いくつかの実施形態では、送受信機８１０は、（例えば、アンテナ８５０を介して）無線信号を無線デバイス１１０に送信し、無線デバイス１１０から受信するのを容易にし、処理回路構成８２０は、ネットワークノード１１５によって提供されるものとして上述した機能性の一部または全てを提供する命令を実行し、メモリ８３０は、処理回路構成８２０によって実行される命令を格納し、ネットワークインターフェース８４０は、ゲートウェイ、スイッチ、ルータ、インターネット、公衆交換電話網（ＰＳＴＮ）、コアネットワークノード、または無線ネットワークコントローラ１３０などのバックエンドネットワークコンポーネントに信号を通信する。
【００８７】
処理回路構成８２０は、命令を実行しデータを操作して、本明細書に記載するネットワークノード１１５の記載される機能の一部または全てを実施する、１つまたは複数のモジュールに実装されるハードウェアおよびソフトウェアの任意の適切な組み合わせを含んでもよい。例えば、一般に、処理回路構成８２０は、同期信号（ＳＳ）ブロックの少なくとも一部分が実際に送信されるものとして指示されたとき（あるいは、ＳＳブロックの少なくとも一部分を場合によっては送信することができるとき）、ランダムアクセスプリアンブルの送信を制限するか否かを、ネットワークノードによって無線デバイスに指示させてもよい。別の例として、処理回路構成８２０は、同期信号（ＳＳ）ブロックの少なくとも一部分が実際に送信されるものとして指示されたとき（あるいは、ＳＳブロックの少なくとも一部分を場合によっては送信することができるとき）、無線デバイスがランダムアクセスプリアンブルを送信するのを制限するか否かに基づいて、ランダムアクセスプリアンブルに関していつＲＡＣＨをモニタリングするかを決定してもよい。いくつかの実施形態では、処理回路構成８２０は、例えば、１つまたは複数のコンピュータ、１つまたは複数の中央処理装置（ＣＰＵ）、１つまたは複数のマイクロプロセッサ、１つまたは複数のアプリケーション、ならびに／あるいは他の論理を含んでもよい。
【００８８】
メモリ８３０は、一般に、１つもしくは複数の論理、規則、アルゴリズム、コード、テーブルなどを含む、コンピュータプログラム、ソフトウェア、アプリケーションなどの命令、ならびに／あるいはプロセッサによって実行することができる他の命令を格納するように動作可能である。メモリ８３０の例としては、コンピュータメモリ（例えば、ランダムアクセスメモリ（ＲＡＭ）もしくは読出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／あるいは情報を格納する、他の任意の揮発性もしくは不揮発性非一時的コンピュータ可読および／またはコンピュータ実行可能メモリデバイスが挙げられる。
【００８９】
いくつかの実施形態では、ネットワークインターフェース８４０は、処理回路構成８２０に通信可能に連結され、ネットワークノード１１５に対する入力を受信し、ネットワークノード１１５からの出力を送出し、入力もしくは出力もしくは両方の適切な処理を実施し、他のデバイスに通信し、または前記の任意の組み合わせを行うように動作可能な、任意の適切なデバイスを指してもよい。ネットワークインターフェース８４０は、ネットワークを通して通信するのに、適切なハードウェア（例えば、ポート、モデム、ネットワークインターフェースカードなど）と、プロトコル変換およびデータ処理能力を含むソフトウェアとを含んでもよい。
【００９０】
ネットワークノード１１５の他の実施形態は、上述の機能性のいずれか、および／またはいずれかの追加の機能性（上述の解決策に対応するのに必要ないずれかの機能性を含む）を含む、無線ネットワークノードの機能性の特定の態様を提供することに関与してもよい、図５に示されるものを超える追加のコンポーネントを含んでもよい。様々な異なるタイプのネットワークノードは、同じ物理ハードウェアを有するが、異なる無線アクセス技術に対応するように（例えば、プログラミングを介して）構成された、コンポーネントを含んでもよく、または部分的もしくは全体的に異なる物理コンポーネントを表してもよい。
【００９１】
図６は、特定の実施形態による、例示の無線ネットワークコントローラまたはコアネットワークノード１３０のブロック図である。ネットワークノードの例としては、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などを挙げることができる。無線ネットワークコントローラまたはコアネットワークノード１３０は、処理回路構成９２０（例えば、１つまたは複数のプロセッサを含んでもよい）と、メモリ９３０と、ネットワークインターフェース９４０とを含む。いくつかの実施形態では、処理回路構成９２０は、ネットワークノードによって提供されるものとして上述した機能性の一部または全てを提供する命令を実行し、メモリ９３０は、処理回路構成９２０によって実行される命令を格納し、ネットワークインターフェース９４０は、ゲートウェイ、スイッチ、ルータ、インターネット、公衆交換電話網（ＰＳＴＮ）、ネットワークノード１１５、無線ネットワークコントローラ、またはコアネットワークノード１３０などの任意の適切なノードに信号を通信する。
【００９２】
処理回路構成９２０は、命令を実行しデータを操作して、無線ネットワークコントローラまたはコアネットワークノード１３０の記載される機能の一部または全てを実施する、１つまたは複数のモジュールに実装されるハードウェアおよびソフトウェアの任意の適切な組み合わせを含んでもよい。いくつかの実施形態では、処理回路構成９２０は、例えば、１つまたは複数のコンピュータ、１つまたは複数の中央処理装置（ＣＰＵ）、１つまたは複数のマイクロプロセッサ、１つまたは複数のアプリケーション、ならびに／あるいは他の論理を含んでもよい。
【００９３】
メモリ９３０は、一般に、１つもしくは複数の論理、規則、アルゴリズム、コード、テーブルなどを含む、コンピュータプログラム、ソフトウェア、アプリケーションなどの命令、ならびに／あるいはプロセッサによって実行することができる他の命令を格納するように動作可能である。メモリ９３０の例としては、コンピュータメモリ（例えば、ランダムアクセスメモリ（ＲＡＭ）もしくは読出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／あるいは情報を格納する、他の任意の揮発性もしくは不揮発性非一時的コンピュータ可読および／またはコンピュータ実行可能メモリデバイスが挙げられる。
【００９４】
いくつかの実施形態では、ネットワークインターフェース９４０は、処理回路構成９２０に通信可能に連結され、ネットワークノードに対する入力を受信し、ネットワークノードからの出力を送出し、入力もしくは出力もしくは両方の適切な処理を実施し、他のデバイスに通信し、または前記の任意の組み合わせを行うように動作可能な、任意の適切なデバイスを指してもよい。ネットワークインターフェース９４０は、ネットワークを通して通信するのに、適切なハードウェア（例えば、ポート、モデム、ネットワークインターフェースカードなど）と、プロトコル変換およびデータ処理能力を含むソフトウェアとを含んでもよい。
【００９５】
ネットワークノードの他の実施形態は、上述の機能性のいずれか、および／またはいずれかの追加の機能性（上述の解決策に対応するのに必要ないずれかの機能性を含む）を含む、ネットワークノードの機能性の特定の態様を提供することに関与してもよい、図６に示されるものを超える追加のコンポーネントを含んでもよい。
【００９６】
図７は、特定の実施形態による、例示の無線デバイス１１０のブロック図である。無線デバイス１１０は１つまたは複数のモジュールを含んでもよい。例えば、無線デバイス１１０は、決定モジュール１０１０、通信モジュール１０２０、受信モジュール１０３０、入力モジュール１０４０、表示モジュール１０５０、および／または他の任意の適切なモジュールを含んでもよい。無線デバイス１１０は、本明細書に記載するシステム情報を格納または適用することに関する方法を実施してもよい。
【００９７】
決定モジュール１０１０は、無線デバイス１１０の処理機能を実施してもよい。一例として、決定モジュール１０１０は、同期信号（ＳＳ）ブロックの少なくとも一部分が実際に送信されるものとして指示されたとき（あるいは、ＳＳブロックの少なくとも一部分を場合によっては送信することができるとき）、ランダムアクセスプリアンブルの送信を制限するか否かを決定してもよい。決定モジュール１０１０は、図４に関連して上述した処理回路構成７２０などの１つもしくは複数のプロセッサを含むか、またはそれに含まれてもよい。決定モジュール１０１０は、上述の決定モジュール１０１０および／または処理回路構成７２０の機能のいずれかを実施するように設定された、アナログおよび／またはデジタル回路構成を含んでもよい。上述の決定モジュール１０１０の機能は、特定の実施形態では、１つまたは複数の別個のモジュールで実施されてもよい。
【００９８】
通信モジュール１０２０は、無線デバイス１１０の送信機能を実施してもよい。一例として、通信モジュール１０２０は、ランダムアクセスプリアンブルをネットワークノード１１５に通信してもよい。通信モジュール１０２０は、メッセージおよび／または信号を無線で送信するように設定された回路構成を含んでもよい。特定の実施形態では、通信モジュール１０２０は、決定モジュール１０１０から送信されるメッセージおよび／または信号を受信してもよい。特定の実施形態では、上述の通信モジュール１０２０の機能は、１つまたは複数の別個のモジュールによって実施されてもよい。
【００９９】
受信モジュール１０３０は、無線デバイス１１０の受信機能を実施してもよい。一例として、受信モジュール１０３０は、ＳＳブロックをネットワークノード１１５から受信してもよい。別の例として、受信モジュール１０３０は、同期信号（ＳＳ）ブロックの少なくとも一部分が実際に送信されるものとして指示されたとき（あるいは、ＳＳブロックの少なくとも一部分を場合によっては送信することができるとき）、無線デバイス１１０がランダムアクセスプリアンブルを送信するのを制限するか否かを指示する、インジケータをネットワークノード１１５から受信してもよい。受信モジュール１０３０は、受信機、および／または図４に関連して上述した送受信機７１０などの送受信機を含んでもよい。受信モジュール１０３０は、メッセージおよび／または信号を無線で受信するように設定された回路構成を含んでもよい。特定の実施形態では、受信モジュール１０３０は、受信したメッセージおよび／または信号を決定モジュール１０１０に通信してもよい。
【０１００】
入力モジュール１０４０は、無線デバイス１１０に向けたユーザ入力を受信してもよい。例えば、入力モジュールは、キー押下げ、ボタン押下げ、タッチ、スワイプ、音声信号、映像信号、および／または他の任意の適切な信号を受信してもよい。入力モジュールは、１つもしくは複数のキー、ボタン、レバー、スイッチ、タッチ画面、マイクロフォン、および／またはカメラを含んでもよい。入力モジュールは、受信した信号を決定モジュール１０１０に通信してもよい。入力モジュール１０４０は、特定の実施形態では任意であってもよい。
【０１０１】
表示モジュール１０５０は、信号を無線デバイス１１０のディスプレイ上に提示してもよい。表示モジュール１０５０は、ディスプレイ、ならびに／あるいは信号をディスプレイ上に提示するように設定された任意の適切な回路構成およびハードウェアを含んでもよい。表示モジュール１０５０は、ディスプレイ上に提示する信号を決定モジュール１０１０から受信してもよい。表示モジュール１０５０は、特定の実施形態では任意であってもよい。
【０１０２】
決定モジュール１０１０、通信モジュール１０２０、受信モジュール１０３０、入力モジュール１０４０、および表示モジュール１０５０は、ハードウェアおよび／またはソフトウェアの任意の適切な設定を含んでもよい。無線デバイス１１０は、上述の機能性のいずれか、および／またはいずれかの追加の機能性（本明細書に記載する様々な解決策に対応するのに必要ないずれかの機能性を含む）を含む、任意の適切な機能性を提供することに関与してもよい、図７に示されるものを超える追加のモジュールを含んでもよい。
【０１０３】
図８は、特定の実施形態による、例示のネットワークノード１１５のブロック図である。ネットワークノード１１５は１つまたは複数のモジュールを含んでもよい。例えば、ネットワークノード１１５は、決定モジュール１１１０、通信モジュール１１２０、受信モジュール１１３０、および／または他の任意の適切なモジュールを含んでもよい。いくつかの実施形態では、決定モジュール１１１０、通信モジュール１１２０、受信モジュール１１３０、または他の任意の適切なモジュールの１つもしくは複数は、図５に関連して上述した処理回路構成８２０など、１つまたは複数のプロセッサを使用して実現されてもよい。特定の実施形態では、様々なモジュールの２つ以上の機能が組み合わされて、単一のモジュールにされてもよい。ネットワークノード１１５は、ネットワークノード（ｇＮＢなど）によって実施されるものとして記載される方法を実施してもよい。
【０１０４】
決定モジュール１１１０は、ネットワークノード１１５の処理機能を実施してもよい。一例として、決定モジュール１１１０は、同期信号（ＳＳ）ブロックの少なくとも一部分が実際に送信されるものとして指示されたとき（あるいは、ＳＳブロックの少なくとも一部分を場合によっては送信することができるとき）、ランダムアクセスプリアンブルの送信を制限するか否かを決定してもよい。決定モジュール１１１０は更に、無線デバイスに送出する情報（ランダムアクセスプリアンブルの送信が制限されるか否かに関するオン／オフの指示、ＲＡＣＨ設定に関するテーブルのインデックス、および／またはどのＳＳブロックがネットワークノード１１５によって実際に送信されているかの指示など）を決定してもよい。別の例として、決定モジュール１１１０は、同期信号（ＳＳ）ブロックの少なくとも一部分が実際に送信されるものとして指示されたとき（あるいは、ＳＳブロックの少なくとも一部分を場合によっては送信することができるとき）、無線デバイスがランダムアクセスプリアンブルを送信するのを制限するか否かに基づいて、ランダムアクセスプリアンブルに関していつＲＡＣＨをモニタリングするかを決定してもよい。決定モジュール１１１０は、図５に関連して上述した処理回路構成８２０などの１つもしくは複数のプロセッサを含むか、またはそれに含まれてもよい。決定モジュール１１１０は、上述の決定モジュール１１１０および／または処理回路構成８２０の機能のいずれかを実施するように設定された、アナログおよび／またはデジタル回路構成を含んでもよい。決定モジュール１１１０の機能は、特定の実施形態では、１つまたは複数の別個のモジュールで実施されてもよい。例えば、特定の実施形態では、決定モジュール１１１０の機能性の一部は割当てモジュールによって実施されてもよい。
【０１０５】
通信モジュール１１２０は、ネットワークノード１１５の送信機能を実施してもよい。例として、通信モジュール１１２０は、無線デバイス１１５に、ＳＳブロック、どのＳＳブロックが実際に送信されているかの指示、ランダムアクセスプリアンブルの送信が制限されているか否かの指示、および／またはＲＡＣＨ設定に関するテーブルのインデックスを送出してもよい。通信モジュール１１２０は、メッセージを無線デバイス１１０の１つまたは複数に送信してもよい。通信モジュール１１２０は、送信機、および／または図５に関連して上述した送受信機８１０などの送受信機を含んでもよい。通信モジュール１１２０は、メッセージおよび／または信号を無線で送信するように設定された回路構成を含んでもよい。特定の実施形態では、通信モジュール１１２０は、決定モジュール１１１０もしくは他の任意のモジュールから送信されるメッセージおよび／または信号を受信してもよい。
【０１０６】
受信モジュール１１３０は、ネットワークノード１１５の受信機能を実施してもよい。一例として、受信モジュール１１３０は、ランダムアクセスプリアンブルを無線デバイス１１０から受信してもよい。受信モジュール１１３０は、任意の適切な情報を無線デバイスから受信してもよい。受信モジュール１１３０は、受信機、および／または図５に関連して上述した送受信機８１０などの送受信機を含んでもよい。受信モジュール１１３０は、メッセージおよび／または信号を無線で受信するように設定された回路構成を含んでもよい。特定の実施形態では、受信モジュール１１３０は、受信したメッセージおよび／または信号を決定モジュール１１１０もしくは他の任意の適切なモジュールに通信してもよい。
【０１０７】
決定モジュール１１１０、通信モジュール１１２０、および受信モジュール１１３０は、ハードウェアおよび／またはソフトウェアの任意の適切な設定を含んでもよい。ネットワークノード１１５は、上述の機能性のいずれか、および／またはいずれかの追加の機能性（上述の解決策に対応するのに必要ないずれかの機能性を含む）を含む、任意の他の機能性を提供することに関与してもよい、図８に示されるものを超える追加のモジュールを含んでもよい。
【０１０８】
図９は、特定の実施形態による、無線デバイス１１０で使用される方法の一例を示している。特定の実施形態では、方法は、実際に送信されるＳＳブロックおよび／またはＳＳブロックのうちのブロックの指示を、ネットワークから受信すること（ステップ１）を含む。方法は、同期信号（ＳＳ）ブロックの少なくとも一部分が実際に送信されるものとして指示されたとき、ランダムアクセスプリアンブルの送信を制限するか否かを決定する（ステップ３）。特定の実施形態は、ネットワークノード１１５から任意に受信されるインジケータに基づいて、決定を実施してもよい（ステップ２）。他の実施形態は、規則（無線デバイス１１５がＦＤＤシステムで動作している場合に制限をオフにする規則など）の適用に基づいて、決定を実施してもよい。方法は、ランダムアクセスプリアンブルの送信が制限されていない時間の間、ランダムアクセスプリアンブルを送信すること（ステップ４）を更に含む。一例として、ランダムアクセスプリアンブルは、ネットワークノード１１５から受信されるＰＲＡＣＨ設定インデックスにしたがって、ただし、実際に送信されるＳＳブロックに使用される時間インスタンス（または時間スロット）における送信は回避して、送信されてもよい（即ち、ステップ３で、制限がオンに切り換えられていると既に決定されている場合）。別の例として、ランダムアクセスプリアンブルは、ネットワークノード１１５から受信されるＰＲＡＣＨ設定インデックスにしたがって、実際に送信されるＳＳブロックに使用される時間インスタンス（または時間スロット）の間であっても、送信されてもよい（即ち、ステップ３で、制限がオフに切り換えられていると既に決定されている場合）。
【０１０９】
図１０は、特定の実施形態による、ネットワークノード１１５で使用される方法の一例を示している。ステップ１で、方法は、実際に送信されるＳＳブロックおよび／またはＳＳブロックのうちのブロックの指示を、無線デバイス１１０に送出することを含む。ステップ２で、方法は、ＳＳブロックの少なくとも一部分が実際に送信されるものとして指示されたとき、ランダムアクセスプリアンブルの送信を制限するか否かを決定することを含む。例として、決定は、全二重が使用可能もしくは使用不能にされるかに基づくか、またはネットワークノード１１５がＦＤＤシステムで動作するか否かに基づいてもよい。ステップ３で、方法は、ＳＳブロックの少なくとも一部分が実際に送信されるものとして指示されたとき、ランダムアクセスプリアンブルの送信を制限するか否かを指示する、インジケータを無線デバイス１１０に送出することを含む。特定の実施形態では、インジケータはオン／オフフラグを含んでもよい。ステップ４で、方法は、ランダムアクセスプリアンブルの送信が制限されていない時間の間、ランダムアクセスプリアンブルのランダムアクセスチャネルをモニタリングすることを含む。一例として、特定の実施形態では、ランダムアクセスプリアンブルは、ネットワークノード１１５が無線デバイス１１０に送出するＰＲＡＣＨ設定インデックスにしたがって、ただし、実際に送信されるＳＳブロックに使用される時間インスタンス（または時間スロット）における送信は回避して、送信されてもよい（例えば、ステップ３で、制限がオンに切り換えられていることが既に指示されている場合）。いくつかの代替実施形態では、ネットワークノード１１５は、ステップ３のインジケータの送出する必要なしに、ステップ４に記載されたモニタリングを実施してもよい（例えば、無線デバイス１１０がネットワークノード１１５からインジケータを受信する必要なしに、無線デバイス１１０がランダムアクセスプリアンブルの送信が制限されていることを決定する、実施形態における）。
【０１１０】
更なる例示の実施形態
グループＡ
１．無線デバイスで使用される方法であって、
同期信号（ＳＳ）ブロックの少なくとも一部分が実際に送信されるものとして指示されたとき、ランダムアクセスプリアンブルの送信を制限するか否かを決定することを含む、方法。
【０１１１】
２．ランダムアクセスプリアンブルの送信が制限されていない時間の間、ランダムアクセスプリアンブルを送信することを更に含む、例示の実施形態１の方法。
【０１１２】
３．方法が、実際に送信されるものとして指示される任意のＳＳブロックと時間が部分的に重複しているいずれかのスロットにおいて、ランダムアクセスプリアンブルの送信を制限するように決定する、例示の実施形態１〜２のいずれかの方法。
【０１１３】
４．ランダムアクセスプリアンブルを制限する決定が、制限をオンに切り換えるというネットワークからの指示の受信に応答して行われる、例示の実施形態１〜３のいずれかの方法。
【０１１４】
５．ランダムアクセスプリアンブルを制限しない決定が、制限をオフに切り換えるというネットワークからの指示の受信に応答して行われる、例示の実施形態１〜４のいずれかの方法。
【０１１５】
６．ネットワークからの指示がオン／オフフラグを含む、例示の実施形態４〜５のいずれかの方法。
【０１１６】
７．例示の実施形態４〜５のいずれかの方法であって、
制限をオンに切り換えるという指示が、ネットワークが全二重を使用不能にしていることに基づき、
制限をオフに切り換えるという指示が、ネットワークが全二重を使用可能にしていることに基づく、方法。
【０１１７】
８．ランダムアクセスプリアンブルの送信を制限するか否かの決定が、無線デバイスがＦＤＤシステムで動作しているという判定に応答して制限をオフに切り換えることを含む、例示の実施形態１〜７のいずれかの方法。
【０１１８】
９．無線デバイスが、ＳＳバーストセットが完了した後にのみ、ランダムアクセスプリアンブルの送信を許可される、例示の実施形態１〜８のいずれかの方法。
【０１１９】
１０．無線デバイスが、可能なＳＳブロック（最大長さＬ）の全セットが完了した後に、ランダムアクセスプリアンブルの送信を許可される、例示の実施形態１〜８のいずれかの方法。
【０１２０】
１１．無線デバイスが、実際に送信されるものと指示される最後のＳＳブロックが終了すると直ぐに、ランダムアクセスプリアンブルの送信を許可される、例示の実施形態１〜８のいずれかの方法。
【０１２１】
１２．例示の実施形態１〜１１のいずれかの方法であって、
実際に送信されるＳＳブロックおよび／またはＳＳブロックのうちのブロックの指示を、ネットワークから受信することを更に含む［例えば、ランダムアクセスプリアンブルの送信前］、方法。
【０１２２】
１３．ＰＲＡＣＨ設定インデックスを受信することと、ＰＲＡＣＨ設定インデックスにしたがって、ただし、実際に送信されるＳＳブロックに使用される時間インスタンス（または時間スロット）における送信は回避して、ランダムアクセスプリアンブルを送信することとを更に含む、例示の実施形態１〜１２のいずれかの方法。
【０１２３】
１４．ランダムアクセスプリアンブルがＮＲ−ＲＡＣＨプリアンブルを含む、例示の実施形態１〜１３のいずれかの方法。
【０１２４】
１５．ランダムアクセスプリアンブルの送信が設定テーブルにしたがう、例示の実施形態１〜１４のいずれかの方法。
【０１２５】
１６．設定テーブルがランダムアクセスプリアンブルの開始位置を提供しない、例示の実施形態１５の方法。
【０１２６】
１７．テーブルが、ランダムアクセスチャネル割当てに使用される全てのサブフレーム（あるいはスロット、または他の時間単位）を指示する、例示の実施形態１〜１６のいずれかの方法。
【０１２７】
１８．「実際に送信されるものとして指示されるＳＳブロック」を、潜在的ＳＳブロック位置（現在の３ＧＰＰ協定で許可された全てのＬ位置）と置き換えることによって修正される、例示の実施形態１〜１７のいずれかの方法。
【０１２８】
１９．命令を格納するように動作可能なメモリと、命令を実行するように動作可能な処理回路構成とを備え、グループＡの例示の実施形態１〜１８の方法のうちいずれかを実施するように動作可能である、無線デバイス。
【０１２９】
２０．コンピュータ可読プログラムコードを格納する非一時的コンピュータ可読媒体を備え、コンピュータ可読プログラムコードが、グループＡの例示の実施形態１〜１８の方法のうちいずれかを実施するプログラムコードを含む、コンピュータプログラム製品。
【０１３０】
グループＢ
１．ネットワークノードで使用される方法であって、
同期信号（ＳＳ）ブロックの少なくとも一部分が実際に送信されるものとして指示されたとき、ランダムアクセスプリアンブルの送信を制限するか否かを指示する、指示を無線デバイスに送出することを含む、方法。
【０１３１】
２．ランダムアクセスプリアンブルの送信が制限されていない時間の間、ランダムアクセスプリアンブルのランダムアクセスチャネルをモニタリングすることを更に含む、例示の実施形態１の方法。
【０１３２】
３．指示が、実際に送信されるものとして指示される任意のＳＳブロックと時間が部分的に重複しているいずれかのスロットにおいて、ランダムアクセスプリアンブルの送信を制限するように指示する、例示の実施形態１〜２のいずれかの方法。
【０１３３】
４．指示が制限をオンにするように指示する、例示の実施形態１〜３のいずれかの方法。
【０１３４】
５．指示が制限をオフにするように指示する、例示の実施形態１〜４のいずれかの方法。
【０１３５】
６．指示がオン／オフフラグを含む、例示の実施形態４〜５のいずれかの方法。
【０１３６】
７．例示の実施形態４〜５のいずれかの方法であって、
制限をオンに切り換えるという指示が、ネットワークが全二重を使用不能にしていることに基づき、
制限をオフに切り換えるという指示が、ネットワークが全二重を使用可能にしていることに基づく、方法。
【０１３７】
８．ＦＤＤシステムで動作しているとき、制限がオフに切り換えられる、例示の実施形態１〜７のいずれかの方法。
【０１３８】
９．指示が、ＳＳバーストセットが完了した後にのみ、無線デバイスがランダムアクセスプリアンブルの送信を許可されることを指示する、例示の実施形態１〜８のいずれかの方法。
【０１３９】
１０．指示が、可能なＳＳブロック（最大長さＬ）の全セットが完了した後に、無線デバイスがランダムアクセスプリアンブルの送信を許可されることを指示する、例示の実施形態１〜８のいずれかの方法。
【０１４０】
１１．指示が、実際に送信されるものと指示される最後のＳＳブロックが終了すると直ぐに、無線デバイスがランダムアクセスプリアンブルの送信を許可されることを指示する、例示の実施形態１〜８のいずれかの方法。
【０１４１】
１２．例示の実施形態１〜１１のいずれかの方法であって、
実際に送信されるＳＳブロックおよび／またはＳＳブロックのうちのブロックの指示を、ネットワークから送出することを更に含む、方法。
【０１４２】
１３．ＰＲＡＣＨ設定インデックスを無線デバイスに送出することと、ＰＲＡＣＨ設定インデックスにしたがって、ただし、実際に送信されるＳＳブロックに使用される時間インスタンス（または時間スロット）ではないときに、ランダムアクセスプリアンブルを受信することとを更に含む、例示の実施形態１〜１２のいずれかの方法。
【０１４３】
１４．ランダムアクセスプリアンブルがＮＲ−ＲＡＣＨプリアンブルを含む、例示の実施形態１〜１３のいずれかの方法。
【０１４４】
１５．ランダムアクセスプリアンブルの送信が設定テーブルにしたがう、例示の実施形態１〜１４のいずれかの方法。
【０１４５】
１６．設定テーブルがランダムアクセスプリアンブルの開始位置を提供しない、例示の実施形態１５の方法。
【０１４６】
１７．テーブルが、ランダムアクセスチャネル割当てに使用される全てのサブフレーム（あるいはスロット、または他の時間単位）を指示する、例示の実施形態１〜１６のいずれかの方法。
【０１４７】
１８．例示の実施形態１〜１７のいずれかの方法であって、
ランダムアクセス応答ウィンドウ（ＲＡＲ）を全ＳＳバーストセット（長さＬ）よりも短く設定することと、
ＳＳバーストセット内部のいくつかのＳＳブロック群を実際に送信されないように設定することと、
実際に送信されないＳＳブロックの少なくとも一部において、無線デバイスがランダムアクセスプリアンブルの送信を許可されることを、無線デバイスに指示すること［例えば、テーブル内のインデックスの選択を通して、無線デバイスに対して利用可能なブロックを指示する］とを更に含む、方法。
【０１４８】
１９．「実際に送信されるものとして指示されるＳＳブロック」を、潜在的ＳＳブロック位置（現在の３ＧＰＰ協定で許可された全てのＬ位置）と置き換えることによって修正される、例示の実施形態１〜１８のいずれかの方法。
【０１４９】
２０．命令を格納するように動作可能なメモリと、命令を実行するように動作可能な処理回路構成とを備え、それによってグループＢの例示の実施形態１〜１９の方法のうちいずれかを実施するように動作可能である、ネットワークノード。
【０１５０】
２１．コンピュータ可読プログラムコードを格納する非一時的コンピュータ可読媒体を備え、コンピュータ可読プログラムコードが、グループＢの例示の実施形態１〜１９の方法のうちいずれかを実施するプログラムコードを含む、コンピュータプログラム製品。
【０１５１】
図１１は、無線デバイス１１０などの無線デバイスで使用される更なる一例の方法１１００を示している。ステップ１１１０で、方法は、ＳＳバーストセットの少なくとも一部分の間、ランダムアクセスプリアンブルの送信を制限するか否かを決定する。ＳＳバーストセットは、送信されるものとして指示される少なくとも１つのＳＳブロックを含む。例えば、無線デバイスは、ＳＳバーストセットのＳＳブロックと重複するであろうランダムアクセスプリアンブルの送信を制限するように決定してもよい。特定の実施形態では、制限によって、無線デバイスが、ＳＳバーストセットが完了した後にのみ、ランダムアクセスプリアンブル送信することが可能になる。他の実施形態では、無線デバイスは、送信されるものと指示されている最後のＳＳブロックが終了すると直ぐに、ＳＳバーストセットの間、ランダムアクセスプリアンブルを送信することが許可される。
【０１５２】
いくつかの実施形態では、プリアンブルを送信する可能な時間セットは、ＰＲＡＣＨ設定インデックスによるランダムアクセスプリアンブルに基づいて決定される。したがって、ランダムアクセスプリアンブルの送信を制限するか否かの決定は、ＰＲＡＣＨ設定インデックスに基づいて、設定された送信時間の１つまたは複数に対する制限に基づいてもよい。
【０１５３】
特定の実施形態では、ランダムアクセスプリアンブルの送信を制限するか否かの決定は、全二重が使用可能かまたは使用不能かに少なくとも部分的に基づく。例えば、ネットワークのＦＤＤ使用可能部分におけるランダムアクセスプリアンブルの送信を制限するのは必要ではないことがある。他方で、ＦＤＤが使用可能にされていない場合、ランダムアクセスプリアンブルおよびＳＳブロックの衝突を防止するために、送信されるＳＳブロックの間、ランダムアクセスプリアンブルの送信を制限するのが必要なことがある。
【０１５４】
特定の実施形態では、送信を制限することの決定は、実際に送信されるものとして指示されるＳＳブロックだけではなく、全ての潜在的なＳＳブロック位置（現在の３ＧＰＰ協定で許可された全てのＬ位置）を考慮することを含む。このようにして、無線デバイスは、潜在的な重複の状況を回避してもよく、それは例えば、どのＳＳブロックが実際に送信されるかの指示がネットワークによって送出されず、または無線デバイスによって受信されない場合に有用なことがある。いくつかの実施形態では、ＳＳバーストセットの間、ランダムアクセスプリアンブルの送信を制限することの決定は、潜在的なＳＳブロック位置の間、ランダムアクセスプリアンブルの送信を制限することの決定に基づいて、暗黙であってもよい。
【０１５５】
方法１１００は、追加のまたはより少ないステップを含んでもよい。特定の実施形態では、方法１１００は、ランダムアクセスプリアンブルの送信が制限されていない時間の間、無線デバイスがランダムアクセスプリアンブルを送信する、任意のステップ１１００を更に含む。例えば、有線デバイスは、例えばＲＡＣＨ設定に基づいて、その間は送信が制限されない次の適切な時間まで、ランダムアクセスプリアンブルの送信を棄権してもよい。いくつかの実施形態では、無線デバイスは、ＳＳバーストセットが完了した後に、ランダムアクセスプリアンブルを送信してもよい。他の実施形態では、無線デバイスは、ＳＳバーストセット内の送信されるものと指示されたＳＳブロックの間（即ち、ＳＳバーストセットが完了する前）、ランダムアクセスプリアンブルを送信してもよい。したがって、無線デバイスは、ネットワークノードがランダムアクセスプリアンブルを聴取し受信することができる時間期間の間、ランダムアクセスプリアンブルを送信してネットワークノードにアクセスしてもよい。更に、無線デバイスは、重複する干渉を回避したまま、より単純なＲＡＣＨ設定に依存してもよい。
【０１５６】
特定の実施形態では、方法１１００は、ステップ１１３０および１１４０の一方または両方を含む。ステップ１１３０で、無線デバイスは、ネットワークからの指示を受信して、制限をオンに切り換える。例えば、ネットワークは、無線デバイスにサーブしているネットワーク要素に基づいて、ランダムアクセスプリアンブルの制限を必要としていることを決定してもよく、例えば、無線デバイスにサーブすることができるネットワークノードはＴＤＤである。いくつかの実施形態では、指示は、潜在的なサービングネットワークノードから直接受信される。いくつかの実施形態では、指示は、ネットワークの異なる要素から受信される。いくつかの実施形態では、ステップ１１３０の指示は、全二重を使用不能にしているネットワークに基づく。ステップ１１４０で、無線デバイスは、ネットワークからの指示を受信して、制限をオフに切り換えてもよい。ステップ１１３０と類似の形で、指示は、ネットワークの潜在的なサービングネットワークノードまたは別の要素など、ネットワーク要素によって受信されてもよい。いくつかの実施形態では、ステップ１１４０の指示は、全二重を使用可能にしているネットワークに基づく。
【０１５７】
特定の実施形態では、方法１１００は、ステップ１１３０およびステップ１１４０の両方を含む。例えば、無線デバイスは、第１のインスタンスで制限をオンにする指示を受信してもよいが、その後、例えば無線デバイスが異なる位置に移動した後、無線デバイスは、その新しいネットワーク環境により、制限をオフにする指示を受信してもよい。ステップ１１３０がステップ１１４０の前および／または後であってもよく、その逆であってもよい。いくつかの実施形態では、方法１１００は、ステップ１１３０およびステップ１１４０の一方のみを含んでもよい。いくつかの実施形態では、ステップ１１３０および／またはステップ１１４０の指示は、オン／オフフラグ、または１もしくはゼロにセットされる単一のビットを含む。
【０１５８】
特定の実施形態では、方法１１００はステップ１１５０を更に含む。ステップ１１５０で、方法は、ＳＳバーストセットのうちどのＳＳブロックがネットワークによって送信されているかを指示する指示を受信する。例えば、ステップ１１１０の前に、無線デバイスは、送信が１つまたは複数のＳＳブロックに対して行われるという指示を受信してもよい。制限がオンにされた場合、方法は、実際に送信されるＳＳブロックのいずれとも重複しないように、ランダムアクセスプリアンブルの送信を制限するか否かを決定してもよい。特定の実施形態では、無線デバイスは、送信を制限するか否かを決定する際に全ての潜在的なＳＳブロックの位置（現在の３ＧＰＰ協定で許可された全てのＬ位置）を更に考慮してもよい。いくつかの実施形態では、どのＳＳブロックが送信されているかの指示は、ＲＲＣシグナリングを介してネットワークから受信されるビットマップを含む。このようにして、無線デバイスは、関連するネットワークノードがモニタリングしていない時間期間の間、ランダムアクセスプリアンブルの送信を回避してもよい。
【０１５９】
図１２は、特定の実施形態による、ネットワークノード１１５などのネットワークノードで使用される一例の方法１２００を示している。ステップ１２１０で、方法は、ＳＳバーストセットの少なくとも一部分の間、無線デバイスがランダムアクセスプリアンブルを送信するのを制限されるか否かを決定する。ＳＳバーストセットは、送信されるものとして指示される少なくとも１つのブロックを含む。いくつかの実施形態では、無線デバイスは、送信されるものとして指示される任意のＳＳブロックと時間が少なくとも部分的に重複しているいずれかのスロットにおいて、ランダムアクセスプリアンブルを送信するのを制限される。いくつかの実施形態では、ＳＳバーストセットの少なくとも一部分の間、無線デバイスがランダムアクセスプリアンブルを送信するのを制限されるか否かの決定は、全二重が使用可能かまたは使用不能かに少なくとも部分的に基づく。例えば、全二重が使用可能にされた場合は制限は行われなくてもよいが、全二重が使用不能にされた場合は、ランダムアクセスプリアンブルの送信の何らかの制限が行われてもよい。
【０１６０】
特定の実施形態では、ネットワークノードは、ＳＳバーストセットのうちどのＳＳブロックがネットワークによって送信されているかを指示する指示を、無線デバイスに送出する。無線デバイスは、ＳＳブロックが送信されるものとしていつ指示されるかに対する制限を基準にしてもよい。いくつかの実施形態では、どのＳＳブロックが送信されるかの指示は、無線リソース制御（ＲＲＣ）シグナリングを介してネットワークから送られるビットマップを含む。
【０１６１】
方法１２００は、追加のまたはより少ないステップを含んでもよい。特定の実施形態では、方法１２００は、無線デバイスがランダムアクセスプリアンブルの送信を制限されていない時間の間、ランダムアクセスプリアンブルに関してランダムアクセスチャネルがモニタリングされる、ステップ１２２０を更に含んでもよい。例えば、ネットワークノードは、例えばネットワークノードがＴＤＤであるように設定されるか、または特定のビーム形成方法を用いて設定されているので、ランダムアクセスチャネルを常にモニタリングすることはできないように、設定されてもよい。ネットワークノードは次に、例えば、無線デバイスの既知のプリアンブル設定に基づいて、無線デバイスがランダムアクセスプリアンブルを送信することが予期されるときなど、特定の時間の間、ランダムアクセスチャネルのみをモニタリングしてもよい。このようにして、ネットワークノードは、無線デバイスがランダムアクセスプリアンブルを潜在的に送信してもよいとき、ランダムアクセスチャネルをモニタリングしてもよい。
【０１６２】
特定の実施形態では、ＳＳバーストセットが完了した後のみ、無線デバイスがランダムアクセスプリアンブルを送信できるようにされるとの決定に応答して、ネットワークノードは、ＳＳバーストセットが完了した後のみ、ランダムアクセスプリアンブルのランダムアクセスチャネルをモニタリングする。特定の実施形態では、送信されると指示されている最後のＳＳブロックが終了すると直ぐに、ＳＳバーストセットの間、無線デバイスがランダムアクセスプリアンブルを送信できるようにされるとの決定に応答して、ネットワークノードは、送信されると指示されている最後のＳＳブロックが終了すると直ぐに、ＳＳバーストセットの間、ランダムアクセスプリアンブルのランダムアクセスチャネルをモニタリングする。このようにして、ステップ１２２０は、無線デバイスがランダムアクセスプリアンブルを送信するのが可能なとき、ネットワークノードがランダムアクセスプリアンブルのランダムアクセスチャネルをモニタリングしてもよいように、無線デバイスの制限基準に基づいて調節されてもよい。
【０１６３】
特定の実施形態では、方法１２００は、ステップ１２３０および１２４０の一方または両方を含む。ステップ１２３０では、制限をオンに切り換える指示はネットワークから送出される。例えば、ネットワークは、無線デバイスにサーブしているネットワーク要素に基づいて、ランダムアクセスプリアンブルの制限を必要としていることを決定してもよく、例えば、無線デバイスにサーブすることができるネットワークノードはＴＤＤである。いくつかの実施形態では、ネットワークノードは指示を送出し、あるいは指示は、ネットワークの異なる要素から送出される。ステップ１２４０で、ネットワークは、制限をオフに切り換える指示を送出する。ステップ１２３０と類似の形で、指示は、ネットワークノード、またはネットワークの別の要素によって送出されてもよい。特定の実施形態では、方法１２００は、ステップ１２３０およびステップ１２４０の両方を含む。例えば、ネットワークノードの設定は、例えば、ＴＤＤからＦＤＤに、または、ネットワークノードが無線デバイスからのランダムアクセスプリアンブルをモニタリングしてもよい時間を変更する、異なるビーム形成設定に変更してもよい。ステップ１２３０がステップ１２４０の前および／または後であってもよく、その逆であってもよい。いくつかの実施形態では、方法１２００は、ステップ１２３０およびステップ１２４０の一方のみを含んでもよい。
【０１６４】
特定の実施形態では、方法１２００は、無線デバイスがランダムアクセスプリアンブルを送信するのを制限されているときを除いて、物理ランダムアクセスチャネル（ＰＲＡＣＨ）設定インデックスが送出され、ＰＲＡＣＨ設定インデックスにしたがってＰＲＡＣＨがモニタリングされる、ステップ１２５０を含む。例えば、無線デバイスは、ＰＲＡＣＨ設定インデックスによって指示されるＰＲＡＣＨ設定に基づいて、特定の時間の間だけ送信を行ってもよい。次いで、ネットワークノードは、既知の設定に基づいて、無線デバイスからのランダムアクセスプリアンブルのみをモニタリングしてもよいが、例えばＳＳブロックとの重複を回避するため、無線デバイスが送信を制限している場合、モニタリングを棄権してもよい。
【０１６５】
本明細書に記載されるシステムおよび装置に対して、本開示の範囲から逸脱することなく、修正、追加、または省略が行われてもよい。システムおよび装置の構成要素は統合または分離されてもよい。更に、システムおよび装置の動作は、より多数、より少数、または他の構成要素によって実施されてもよい。それに加えて、システムおよび装置の動作は、ソフトウェア、ハードウェア、および／または他の論理を含む、任意の適切な論理を使用して実施されてもよい。本明細書で使用するとき、「各」は、セットのそれぞれの数、またはセットのサブセットにおけるそれぞれの数を指す。
【０１６６】
本明細書に記載される方法に対して、本開示の範囲から逸脱することなく、修正、追加、または省略が行われてもよい。方法は、より多数、より少数、または他のステップを含んでもよい。それに加えて、ステップは任意の適切な順序で実施されてもよい。
【０１６７】
本開示について特定の実施形態に関連して記載してきたが、実施形態の変更および置換が当業者には明白となるであろう。したがって、実施形態の上述の説明は本開示を拘束するものではない。本開示の趣旨および範囲から逸脱することなく、他の変化、代用、および変更が可能である。
【図１】
0006758509.tif 000002
【図２】
0006758509.tif 000003
【図３】
0006758509.tif 000004
【図４】
0006758509.tif 000005
【図５】
0006758509.tif 000006
【図６】
0006758509.tif 000007
【図７】
0006758509.tif 000008
【図８】
0006758509.tif 000009
【図９】
0006758509.tif 000010
【図１０】
0006758509.tif 000011
【図１１】
0006758509.tif 000012
【図１２】
0006758509.tif 000013